(57)【要約】【課題】貯湯式給湯機を保護しつつ、貯湯式給湯機の状態を確認することができる貯湯式給湯機の梱包部材を提供する。【解決手段】貯湯式給湯機の梱包部材は、貯湯式給湯機の外周を覆う梱包外郭ダンボールと、前記貯湯式給湯機を外部から視認し得るように前記梱包外郭ダンボールの一部を切り欠いて前記貯湯式給湯機側へ折り曲げることにより形成された緩衝部と、を備えた。当該構成により、輸送中において、貯湯式給湯機の保護しつつ、貯湯式給湯機の状態を確認することができる。【選択図】図２
2014213874.tif 000002
【特許請求の範囲】
【請求項１】
貯湯式給湯機の外周を覆う梱包外郭ダンボールと、
前記貯湯式給湯機を外部から視認し得るように前記梱包外郭ダンボールの一部を切り欠いて前記貯湯式給湯機側へ折り曲げることにより形成された緩衝部と、
を備えた貯湯式給湯機の梱包部材。
【請求項２】
前記緩衝部は、前記貯湯式給湯機が梱包状態の際に前記貯湯式給湯機の変形しやすい部位を視認し得るように設けられた請求項１に記載の貯湯式給湯機の梱包部材。
【請求項３】
前記緩衝部は、前記貯湯式給湯機が長手方向を水平方向にして梱包された際に前記梱包外郭ダンボールの下側かつ前記貯湯式給湯機の天面側となるように設けられた請求項１又は請求項２に記載の貯湯式給湯機の梱包部材。
【請求項４】
前記緩衝部は、前記貯湯式給湯機が梱包された際に前記貯湯式給湯機のけこみ部分を視認し得るように設けられた請求項１〜請求項３のいずれか一項に記載の貯湯式給湯機の梱包部材。
【請求項５】
前記緩衝部は、前記貯湯式給湯機が梱包された際に前記貯湯式給湯機の外郭側面ケースと外郭底面ケースとの締結部が視認し得るように設けられた請求項１〜請求項４のいずれか一項に記載の貯湯式給湯機の梱包部材。
【請求項６】
前記梱包外郭ダンボールは、角筒状に形成され、
前記緩衝部は、前記梱包外郭ダンボールの稜線側に設けられた請求項１〜請求項５のいずれか一項に記載の貯湯式給湯機の梱包部材。
【請求項７】
前記貯湯式給湯機が載置される梱包底板と、
前記梱包底板の上方で前記貯湯式給湯機の下端部側を保持する下部緩衝体と、
前記貯湯式給湯機の上端部側を保持する上部緩衝体と、
前記上部緩衝体の上方で前記貯湯式給湯機の上端部を覆う梱包上カバーと、
を備えた請求項１〜請求項６のいずれか一項に記載の貯湯式給湯機の梱包部材。
【発明の詳細な説明】
【技術分野】
【０００１】
この発明は、貯湯式給湯機の梱包部材に関するものである。
【背景技術】
【０００２】
貯湯式給湯機の外周を覆う梱包外郭ダンボールを備えた貯湯式給湯機の梱包部材が提案されている（例えば、特許文献１参照）。
【先行技術文献】
【特許文献】
【０００３】
【特許文献１】特開平１１−１３０１８０号公報
【発明の概要】
【発明が解決しようとする課題】
【０００４】
しかしながら、特許文献１に記載のものにおいては、輸送中に貯湯式給湯機を直接視認することができない。このため、開梱するまで貯湯式給湯機の状態を確認できない。
【０００５】
この発明は、上述の課題を解決するためになされたものである。すなわち、この発明の目的は、貯湯式給湯機を保護しつつ、貯湯式給湯機の状態を確認することができる貯湯式給湯機の梱包部材を提供することである。
【課題を解決するための手段】
【０００６】
この発明に係る貯湯式給湯機の梱包部材は、貯湯式給湯機の外周を覆う梱包外郭ダンボールと、前記貯湯式給湯機を外部から視認し得るように前記梱包外郭ダンボールの一部を切り欠いて前記貯湯式給湯機側へ折り曲げることにより形成された緩衝部と、を備えたものである。
【発明の効果】
【０００７】
この発明によれば、貯湯式給湯機を保護しつつ、貯湯式給湯機の状態を確認することができる。
【図面の簡単な説明】
【０００８】
【図１】この発明の実施の形態１における貯湯式給湯機の梱包部材で梱包される貯湯式給湯機の正面図である。
【図２】この発明の実施の形態１における貯湯式給湯機の梱包部材を説明するための斜視図である。
【図３】この発明の実施の形態１における貯湯式給湯機の梱包部材の梱包外郭ダンボールを説明するための斜視図である。
【図４】この発明の実施の形態１における貯湯式給湯機の梱包部材で梱包された貯湯式給湯機の輸送を説明するための斜視図である。
【図５】この発明の実施の形態１における貯湯式給湯機の梱包部材で梱包された貯湯式給湯機の輸送を説明するための縦断面図である。
【図６】図５のＡ部拡大図である。
【図７】この発明の実施の形態２における貯湯式給湯機の梱包部材の図６相当図である。
【図８】この発明の実施の形態３における貯湯式給湯機の梱包部材で梱包された貯湯式給湯機の斜視図である。
【図９】この発明の実施の形態３における貯湯式給湯機の梱包部材となる梱包外郭ダンボールの要部の斜視図である。
【発明を実施するための形態】
【０００９】
この発明を実施するための形態について添付の図面に従って説明する。各図の同一又は相当する部分には、同一の符号が付される。当該部分の重複説明は適宜に簡略化ないし省略される。
【００１０】
実施の形態１．
図１はこの発明の実施の形態１における貯湯式給湯機の梱包部材で梱包される貯湯式給湯機の正面図である。
【００１１】
図１に示すように、貯湯式給湯機１は、貯湯タンク２を備える。貯湯タンク２は重量物である。貯湯タンク２の外郭の下部には、本体脚３が設けられる。本体脚３は、貯湯タンク２を支持する。
【００１２】
貯湯タンク２の外郭の外周は、断熱材（図示せず）を介して外郭底面ケース２ａ、外郭前面ケース２ｂ、外郭側面ケース（右）２ｃ、外郭側面ケース（左）２ｄ、外郭背面ケース２ｅ、外郭上面ケース２ｆに被覆される。
【００１３】
貯湯タンク２の前面の下部には、けこみ部２ｇが形成される。外郭側面ケース（右）２ｃと外郭底面ケース２ａとの交わり部には、締結部２ｈが形成される。外郭側面ケース（左）２ｄと外郭底面ケース２ａとの交わり部には、締結部２ｈが形成される。外郭背面ケース２ｅと外郭底面ケース２ａとの交わり部には、締結部２ｉ（図１においては図示せず）が形成される。
【００１４】
次に、図２を用いて、梱包部材を説明する。図２はこの発明の実施の形態１における貯湯式給湯機の梱包部材を説明するための斜視図である。
【００１５】
図２に示すように、梱包部材は、梱包底板４、下部緩衝体５、梱包外郭ダンボール６、上部緩衝体７、梱包上カバー８を備える。
【００１６】
梱包底板４には、貯湯式給湯機１の本体脚３が載置される。下部緩衝体５は、梱包底板４の上方で貯湯タンク２の外郭の下端部を保持する。梱包外郭ダンボール６は、貯湯タンク２の外郭の外周を覆う。上部緩衝体７は、貯湯タンク２の外郭の上端部を保持する。梱包上カバー８は、上部緩衝体７の上方で貯湯式給湯機１の上端部を覆う。
【００１７】
次に、図３を用いて、梱包外郭ダンボール６を説明する。図３はこの発明の実施の形態１における貯湯式給湯機の梱包部材の梱包外郭ダンボールを説明するための斜視図である。
【００１８】
図３に示すように、梱包外郭ダンボール６は角筒状に形成される。梱包外郭ダンボール６の背面の上部には、折り曲げ加工部６ａが設けられる。その結果、切欠き穴部６ｂが形成される。梱包外郭ダンボール６の背面の下部には、折り曲げ加工部６ａ（図３においては図示せず）が設けられる。その結果、切欠き穴部６ｂ（図３においては図示せず）が形成される。
【００１９】
梱包外郭ダンボール６の両側面の下部の前面側および背面側には、折り曲げ加工部６ａ（図３においては図示せず）が設けられる。その結果、切欠き穴部６ｂが形成される。
【００２０】
梱包外郭ダンボール６の側面の中央の稜線近傍には、折り曲げ加工部６ａ（図３においては図示せず）が設けられる。その結果、凹み部６ｃが形成される。凹み部６ｃは、貯湯式給湯機１を輸送する際の取っ手として利用し得る。
【００２１】
折り曲げ加工部６ａに関し、梱包外郭ダンボール６の製作時、梱包外郭ダンボール６の一部に切欠き加工が施される。貯湯式給湯機１の梱包の際に折り曲げ加工が施される。
【００２２】
梱包外郭ダンボール６の背面の上下部においては、折り曲げ加工部６ａは、対応した切欠き穴部６ｂの下縁部から鉛直方向に蛇腹状に折り曲げられる。
【００２３】
梱包外郭ダンボール６の側面の下部の前面側および背面側においては、折り曲げ加工部６ａは、対応した切欠き穴部６ｂの上縁部から鉛直方向に蛇腹状に折り曲げられる。    
【００２４】
梱包外郭ダンボール６の側面の中央の稜線近傍においては、折り曲げ加工部６ａは、凹み部６ｃの前面側の側縁部から水平方向に蛇腹状に折り曲げられる。
【００２５】
次に、図４を用いて、貯湯式給湯機１の輸送の一例を説明する。図４はこの発明の実施の形態１における貯湯式給湯機の梱包部材で梱包された貯湯式給湯機の輸送を説明するための斜視図である。
【００２６】
図４に示すように、貯湯式給湯機１の長手方向を鉛直方向にした場合、貯湯タンク２、外郭前面ケース２ｂ、外郭側面ケース（右）２ｃ、外郭側面ケース（左）２ｄ、外郭背面ケース２ｅ、外郭上面ケース２ｆの重量により、下方への荷重が発生する。当該荷重は、けこみ部２ｇ、締結部２ｈ、締結部２ｉにかかる。このため、外郭側面ケース（右）２ｃ、外郭側面ケース（左）２ｄは輸送時に変形しやすい。当該部分は、けこみ部２ｇ、締結部２ｈ、締結部２ｉに対応した切欠き穴部６ｂから視認し得る。
【００２７】
次に、図５と図６とを用いて、貯湯式給湯機１の輸送の一例を説明する。
図５はこの発明の実施の形態１における貯湯式給湯機の梱包部材で梱包された貯湯式給湯機の輸送を説明するための縦断面図である。図６は図５のＡ部拡大図である。
【００２８】
図５に示すように、貯湯式給湯機１の長手方向を水平方向にし、外郭背面ケース２ｅを下側にした場合、貯湯タンク２は、下部緩衝体５と上部緩衝体７とに支持される。すなわち、貯湯タンク２は、梱包外郭ダンボール６に直接支持されない。本体脚３は、梱包底板４に強固に固定される。
【００２９】
輸送時において、振動による荷重は、貯湯タンク２の背面の上部緩衝体７側に集中する。当該荷重は、上部緩衝体７側の折り曲げ加工部６ａによって緩衝される。すなわち、上部緩衝体７側の折り曲げ加工部６ａは緩衝部として機能する。その結果、外郭背面ケース２ｅの変形が抑制される。また、貯湯タンク２の背面の下部緩衝体５側において、集中した荷重は、下部緩衝体５側の折り曲げ加工部６ａによっても緩衝される。すなわち、下部緩衝体５側の折り曲げ加工部６ａは緩衝部として機能する。その結果、外郭背面ケース２ｅの変形が抑制される。
【００３０】
以上で説明した実施の形態１によれば、貯湯式給湯機１にかかる荷重は折り曲げ加工部６ａで緩衝される。このため、新たな緩衝材を用いることなく、貯湯式給湯機１を保護することができる。この際、外部から切欠き穴部６ｂを介して貯湯式給湯機１を視認し得る。このため、輸送中において、貯湯式給湯機１の状態を確認することができる。
【００３１】
特に、本実施の形態１の例では、輸送時に変形しやすい部位、例えば、貯湯タンク２の背面の上部や下部、貯湯タンク２のけこみ部２ｇ近傍、締結部２ｈ近傍、締結部２ｉ近傍が視認される。このため、変形しやすい部位の変形の有無を効率的に確認することができる。
【００３２】
また、梱包外郭ダンボール６には、凹み部６ｃが設けられる。このため、凹み部６ｃを取っ手とすることで、梱包された貯湯式給湯機１を容易に運ぶことができる。
【００３３】
また、貯湯式給湯機１の梱包には、梱包底板４、下部緩衝体５、上部緩衝体７、梱包上カバー８も用いられる。このため、貯湯式給湯機１をより確実に保護することができる。
【００３４】
なお、梱包外郭ダンボール６を貯湯式給湯機１に被せる前に曲げ加工部６ａを形成してもよい。梱包外郭ダンボール６を貯湯式給湯機１に被せた後に曲げ加工部６ａを形成してもよい。
【００３５】
実施の形態２．
図７はこの発明の実施の形態２における貯湯式給湯機の梱包部材の図６相当図である。なお、実施の形態１と同一又は相当部分には同一符号を付して説明を省略する。
【００３６】
実施の形態１の折り曲げ加工部６ａは蛇腹状に折り曲げられていた。一方、実施の形態２の折り曲げ加工部６ａは、内側に巻き込むように折り曲げられている。
【００３７】
以上で説明した実施の形態２によれば、実施の形態１と同様の効果を得ることができる。
【００３８】
実施の形態３．
図８はこの発明の実施の形態３における貯湯式給湯機の梱包部材で梱包された貯湯式給湯機の斜視図である。図９はこの発明の実施の形態３における貯湯式給湯機の梱包部材となる梱包外郭ダンボールの要部の斜視図である。なお、実施の形態１と同一又は相当部分には同一符号を付して説明を省略する。
【００３９】
実施の形態１の梱包外郭ダンボール６の背面側においては、１つの折り曲げ加工部６ａが鉛直方向に蛇腹状に折り曲げられていた。一方、実施の形態３の梱包外郭ダンボール６の背面側においては、一対の折り曲げ加工部６ａが水平方向に巻き込むように折り曲げられる。各折り曲げ加工部６ａは、対応した切欠き穴部６ｂの内側縁部から折り曲げられる。
【００４０】
以上で説明した実施の形態３によれば、実施の形態１と同様の効果を得ることができる。
【符号の説明】
【００４１】
１  貯湯式給湯機、  ２  貯湯タンク、  ２ａ  外郭底面ケース、  ２ｂ  外郭前面ケース、  ２ｃ  外郭側面ケース（右）、  ２ｄ  外郭側面ケース（左）、  ２ｅ  外郭背面ケース、  ２ｆ  外郭上面ケース、  ２ｇ  けこみ部、  ２ｈ  締結部、  ２ｉ  締結部、  ３  本体脚、  ４  梱包底板、  ５  下部緩衝体、  ６  梱包外郭ダンボール、  ６ａ  折り曲げ加工部、  ６ｂ  切欠き穴部、  ６ｃ  凹み部、  ７  上部緩衝体、  ８  梱包上カバー
【図１】
2014213874.tif 000003
【図２】
2014213874.tif 000004
【図３】
2014213874.tif 000005
【図４】
2014213874.tif 000006
【図５】
2014213874.tif 000007
【図６】
2014213874.tif 000008
【図７】
2014213874.tif 000009
【図８】
2014213874.tif 000010
【図９】
2014213874.tif 000011